(57)【要約】【課題】テレビ放送やインターネット等の外部から入手可能なコンテンツを、利用者の求めに応じて正確に編集し、記録することができるコンテンツ記録装置を提供する。【解決手段】本発明のコンテンツ記録装置１０は、着脱可能なコンテンツ記録媒体１０４にテレビ放送やインターネット等の外部から入手可能なコンテンツを記録するためのコンテンツ記録装置である。コンテンツ記録装置１０は、外部から入手されるテレビ放送等の編集行為に必要とされる編集情報を利用することについての許諾を表わす許諾キーがコンテンツ記録媒体１０４に記録されている場合には、利用者がテレビ放送等の編集を要求したときに、そのテレビ放送等に関する編集情報を利用することで、テレビ放送等を編集し、その編集されたテレビ放送等をコンテンツ記録媒体１０４に記録する。【選択図】図１
2010157285.tif 000002
【特許請求の範囲】
【請求項１】
コンテンツを編集し、着脱可能なコンテンツ記録媒体に記録するためのコンテンツ記録装置に用いられるコンテンツ記録媒体であって、
外部から入手されるコンテンツの編集行為に必要とされる、前記コンテンツに関する編集情報を、前記コンテンツ記録装置が利用することについての許諾を表わす許諾情報を記録するための記録領域である許諾情報記録領域を備えていることを特徴とするコンテンツ記録媒体。
【請求項２】
前記コンテンツ記録媒体の前記許諾情報記録領域は、読み出しのみ可能な記録領域であることを特徴と請求項１に記載のコンテンツ記録媒体。
【請求項３】
前記コンテンツ記録媒体は、前記編集情報を記録するための記録領域である編集情報記録領域をさらに備えていることを特徴とする請求項１または２に記載のコンテンツ記録媒体。
【請求項４】
コンテンツを編集し、着脱可能なコンテンツ記録媒体に記録するためのコンテンツ記録装置であって、
外部から入手されるコンテンツの編集行為に必要とされる、前記コンテンツに関する編集情報を利用することについての許諾を表わす許諾情報が、前記コンテンツ記録装置に装着されたコンテンツ記録媒体に記録されている場合には、
利用者が前記コンテンツの編集を要求したときに、前記コンテンツに関する編集情報を利用することで、前記利用者の要求に応じて前記コンテンツを編集し、前記コンテンツ記録媒体に記録することを特徴とするコンテンツ記録装置。
【請求項５】
前記コンテンツ記録媒体に記録されている前記許諾情報に基づいて、外部から入手されるコンテンツに関する編集情報の利用許諾を認証する認証手段と、
前記認証手段により認証された前記コンテンツに関する編集情報を用いて、前記コンテンツ記録媒体にコンテンツを記録する際における、前記コンテンツ記録装置の記録動作の内容を生成する生成手段と
を備えていることを特徴とする請求項４に記載のコンテンツ記録装置。
【請求項６】
前記コンテンツ記録媒体の記録領域のうち、前記許諾情報が記録されるべき許諾情報記録領域の場所を格納する格納部をさらに備え、
前記認証手段は、前記格納部に格納されている許諾情報記録領域の場所に前記許諾情報が記録されているか否かを判定し、前記許諾情報記録領域の場所に前記許諾情報が記録されているとの判定結果に基づいて、前記編集情報の利用許諾を認証することを特徴とする請求項５に記載のコンテンツ記録装置。
【請求項７】
前記利用者の要求に応じた前記コンテンツの編集内容を設定するための設定手段をさらに備え、
前記生成手段は、前記設定手段により設定された前記コンテンツの編集内容に従って、前記コンテンツ記録装置の記録動作の内容を生成することを特徴とする請求項５または６に記載のコンテンツ記録装置。
【請求項８】
外部から入手されるコンテンツは、テレビ放送であると共に、前記編集情報は、前記テレビ放送を構成する複数の放送部分のうち、少なくとも１つの放送部分の開始時刻及び終了時刻を含む時間情報であり、
前記生成手段は、前記時間情報を用いて、前記テレビ放送からの前記少なくとも１つの放送部分を前記利用者の要求に応じて削除するための、前記コンテンツ記録装置の記録動作の内容を生成することを特徴とする請求項５〜７のいずれか１項に記載のコンテンツ記録装置。
【請求項９】
前記コンテンツに関する編集情報を提供する編集情報提供者が接続された通信回線と接続するための接続手段をさらに備え、
前記認証手段が前記コンテンツに関する編集情報の利用許諾を認証したときに、前記通信回線及び前記接続手段を介して、前記編集情報提供者から前記編集情報を受信することを特徴とする請求項５〜８のいずれか１項に記載のコンテンツ記録装置。
【請求項１０】
請求項５〜９のいずれか１項に記載のコンテンツ記録装置における各手段としてコンピュータを動作させるためのコンテンツ記録処理プログラム。
【請求項１１】
請求項１０に記載のコンテンツ記録処理プログラムを記録したコンピュータ読み取り可能な記録媒体。
【請求項１２】
コンテンツを編集し、着脱可能なコンテンツ記録媒体に記録するためのコンテンツ記録方法であって、
外部から入手されるコンテンツの編集行為に必要とされる、前記コンテンツに関する編集情報を利用することについての許諾を表わす許諾情報が、前記コンテンツ記録媒体に記録されている場合には、
利用者が前記コンテンツの編集を要求したときに、前記コンテンツに関する編集情報を利用することで、前記利用者の要求に応じて前記コンテンツを編集し、前記コンテンツ記録媒体に記録することを特徴とするコンテンツ記録方法。
【発明の詳細な説明】
【技術分野】
【０００１】
本発明は、テレビ放送やインターネット等の外部から入手可能なコンテンツを利用者の求めに応じて編集し、記録するコンテンツ記録媒体及びこれを用いたコンテンツ記録装置、並びに、コンテンツ記録方法、コンテンツ記録処理プログラム及びこのコンテンツ記録処理プログラムを記録したコンピュータ読み取り可能な記録媒体に関するものである。
【背景技術】
【０００２】
近年、ＤＶＤ−ＲＡＭや光ディスク等のコンテンツ記録媒体にテレビ放送やインターネット等の外部から提供されるコンテンツを録画し、再生する記録再生装置が、ほとんどの家庭に普及して来ている。利用者は、所望のテレビ番組等をコンテンツ記録媒体に録画し、そのテレビ番組を好きな時間に再生して見ることができる。
【０００３】
このような記録再生装置には、いわゆる録画予約機能が設けられているのが一般的である。この録画予約機能は、利用者が録画を希望するテレビ番組の録画開始時刻、録画終了時刻、録画チャンネル等を設定しておき、その設定時刻に自動的にテレビ番組の録画を実行させる機能である。
【０００４】
ところで、利用者のニーズとして、テレビ番組中にコマーシャルやニュースを削除したり、分離したりして、テレビ番組のみを録画したいというものがある。通常、コマーシャルやニュース等が挿入されている１時間番組において、コマーシャルやニュースを除いた、本編部分の放送時間は、実質的に４０分程度である。時間がない場合には、このようなコマーシャルやニュースを飛ばして本編部分のみを見ることができれば、利用者にとって非常に効率的である。
【０００５】
また、コマーシャルやニュースを削除できれば、ドラマ等のテレビ番組であれば、そのドラマを連続的にノーカットで見ることができる。
【０００６】
このような状況を考慮して、任意の放送番組に関して宣伝広告情報が途中に挿入される番組情報内容を記録再生する場合に、映画等の番組情報内容をコマーシャルカットの状態でシームレスに視聴できるようにした記録再生装置及び記録再生方法が提案されている（例えば、特許文献１を参照）。
【０００７】
この記録再生装置及び記録再生方法では、通常、コマーシャルがステレオ放送であることを利用して、放送番組に関して２カ国語放送とステレオ放送の切り換えを検出し、ステレオ放送以外の部分を放送番組の本編と判断して、コマーシャルのみを削除し、録画するものである。
【０００８】
このような、２カ国語放送、ステレオ放送、２重音声といった音声モード等の、テレビ放送の信号の内容に基づいてコマーシャルを削除する方法は、これまで多く提案されている。
【特許文献１】特開２００２−１４２１９６号公報（平成１４年５月１７日公開）
【発明の開示】
【発明が解決しようとする課題】
【０００９】
しかしながら、従来の記録再生装置及び記録再生方法では、テレビ放送の信号に基づいてコマーシャルの選別が行なわれており、実際には、必ずしも、コマーシャル放送時に信号が切り換わることが保証されている訳ではなく、このような選別の仕方では、コマーシャルの開始、終了を完全に判断することができないといった課題があった。
【００１０】
また、テレビ放送や放送内容等に変更があった場合、従来の記録再生装置及び記録再生方法では対応に限界があるといった課題もあった。
【００１１】
上記課題に鑑み、本発明の目的は、テレビ放送やインターネット等の外部から入手可能なコンテンツを、利用者の求めに応じて正確に編集し、記録することができるコンテンツ記録媒体及びこれを用いたコンテンツ記録装置、並びに、コンテンツ記録方法、コンテンツ記録処理プログラム及びこのコンテンツ記録処理プログラムを記録したコンピュータ読み取り可能な記録媒体を提供することにある。
【課題を解決するための手段】
【００１２】
上記目的を達成するために、本発明におけるコンテンツ記録媒体は、コンテンツを編集し、着脱可能なコンテンツ記録媒体に記録するためのコンテンツ記録装置に用いられるコンテンツ記録媒体であって、外部から入手されるコンテンツの編集行為に必要とされる、前記コンテンツに関する編集情報を、前記コンテンツ記録装置が利用することについての許諾を表わす許諾情報を記録するための記録領域である許諾情報記録領域を備えていることを特徴とする。
【００１３】
上記のコンテンツ記録媒体にコンテンツを記録するコンテンツ記録装置では、コンテンツについての編集情報を取得し、その編集情報に基づく利用者からの求めに応じて、そのコンテンツを編集し、記録することができる。
【００１４】
このため、コンテンツが利用者の求めに正確に沿う編集がなされ、その結果、利用者の好みにあったコンテンツの編集が実現されることになる。
【００１５】
さらに、コンテンツについての編集情報の利用許諾を、コンテンツ記録媒体にあらかじめ記録されている許諾情報を用いて行なうことにより、正当な許諾情報が記録されていないコンテンツ記録媒体に対するコンテンツの記録の際における編集情報の利用を不可能にすることができる。
【００１６】
このため、コンテンツ記録媒体に正当な許諾情報が記録されていない場合には、コンテンツが利用者により不正に編集されることがなくなり、その結果、コンテンツの編集後のデータがコンテンツ記録媒体に不正に記録されてしまうことを回避することができる。
【００１７】
前記コンテンツ記録媒体の前記許諾情報記録領域は、読み出しのみ可能な記録領域であることが好ましい。
【００１８】
この場合、コンテンツ記録媒体に記録されている許諾情報の改変等を防止することができるので、正当な許諾情報が記録されたコンテンツ記録媒体のみに、編集情報を用いて編集されたコンテンツを記録することができる。
【００１９】
前記コンテンツ記録媒体は、前記編集情報を記録するための記録領域である編集情報記録領域をさらに備えていることが好ましい。
【００２０】
この場合、コンテンツに関する編集情報を外部から入手する構成が不要となるので、コンテンツ記録装置をより簡単な構成で実現することができる。
【００２１】
本発明におけるコンテンツ記録装置は、コンテンツを編集し、着脱可能なコンテンツ記録媒体に記録するためのコンテンツ記録装置であって、外部から入手されるコンテンツの編集行為に必要とされる、前記コンテンツに関する編集情報を利用することについての許諾を表わす許諾情報が、前記コンテンツ記録装置に装着されたコンテンツ記録媒体に記録されている場合には、利用者が前記コンテンツの編集を要求したときに、前記コンテンツに関する編集情報を利用することで、前記利用者の要求に応じて前記コンテンツを編集し、前記コンテンツ記録媒体に記録することを特徴とする。
【００２２】
上記のコンテンツ記録装置では、コンテンツについての編集情報を取得し、その編集情報に基づく利用者からの求めに応じて、そのコンテンツを編集し、記録することができる。
【００２３】
このため、コンテンツが利用者の求めに正確に沿う編集がなされ、その結果、利用者の好みにあったコンテンツの編集が実現されることになる。
【００２４】
さらに、コンテンツについての編集情報の利用許諾を、コンテンツ記録媒体にあらかじめ記録されている許諾情報を用いて行なうことにより、正当な許諾情報が記録されていないコンテンツ記録媒体に対するコンテンツの記録の際における編集情報の利用を不可能にすることができる。
【００２５】
このため、コンテンツ記録媒体に正当な許諾情報が記録されていない場合には、コンテンツが利用者により不正に編集されることがなくなり、その結果、コンテンツの編集後のデータがコンテンツ記録媒体に不正に記録されてしまうことを回避することができる。
【００２６】
前記コンテンツ記録媒体に記録されている前記許諾情報に基づいて、外部から入手されるコンテンツに関する編集情報の利用許諾を認証する認証手段と、前記認証手段により認証された前記コンテンツに関する編集情報を用いて、前記コンテンツ記録媒体にコンテンツを記録する際における、前記コンテンツ記録装置の記録動作の内容を生成する生成手段とを備えていることが好ましい。
【００２７】
この場合、認証手段が、コンテンツ記録媒体に記録されている許諾情報に基づいて、外部から入手されるコンテンツに関する編集情報の利用許諾を認証し、生成手段が、認証手段により認証されたコンテンツに関する編集情報を用いて、コンテンツ記録媒体にコンテンツを記録する際における、コンテンツ記録装置の記録動作の内容を生成する。
【００２８】
このため、コンテンツに関する編集情報の利用が許諾されたコンテンツに対してのみ、利用者からの求めに応じて編集されたコンテンツを記録することが実行されることになる。
【００２９】
前記コンテンツ記録媒体の記録領域のうち、前記許諾情報が記録されるべき許諾情報記録領域の場所を格納する格納部をさらに備え、前記認証手段は、前記格納部に格納されている許諾情報記録領域の場所に前記許諾情報が記録されているか否かを判定し、前記許諾情報記録領域の場所に前記許諾情報が記録されているとの判定結果に基づいて、前記編集情報の利用許諾を認証することが好ましい。
【００３０】
この場合、認証手段による認証処理が許諾情報の有無に基づいて実行され、認証処理をより効率的に行なうことができる。
【００３１】
前記利用者の要求に応じた前記コンテンツの編集内容を設定するための設定手段をさらに備え、前記生成手段は、前記設定手段により設定された前記コンテンツの編集内容に従って、前記コンテンツ記録装置の記録動作の内容を生成することが好ましい。
【００３２】
この場合、利用者の要求に応じたコンテンツの編集内容に従って、コンテンツ記録装置の記録動作の内容を生成することができるので、利用者の要求に応じた編集内容を容易に把握することができる。
【００３３】
このため、利用者の要求をコンテンツの編集内容により効率的に反映させることができる。
【００３４】
外部から入手されるコンテンツは、テレビ放送であると共に、前記編集情報は、前記テレビ放送を構成する複数の放送部分のうち、少なくとも１つの放送部分の開始時刻及び終了時刻を含む時間情報であり、前記生成手段は、前記時間情報を用いて、前記テレビ放送からの前記少なくとも１つの放送部分を前記利用者の要求に応じて削除するための、前記コンテンツ記録装置の記録動作の内容を生成することが好ましい。
【００３５】
この場合、テレビ放送を構成する放送部分の開始時刻及び終了時刻を容易に把握することができるので、テレビ放送からの特定の放送部分の削除といったテレビ放送の編集をより効率的に行なうことができる。
【００３６】
前記コンテンツに関する編集情報を提供する編集情報提供者が接続された通信回線と接続するための接続手段をさらに備え、前記認証手段が前記コンテンツに関する編集情報の利用許諾を認証したときに、前記通信回線及び前記接続手段を介して、前記編集情報提供者から前記編集情報を受信することが好ましい。
【００３７】
この場合、コンテンツに関する編集情報をコンテンツ記録媒体やコンテンツ記録装置に事前に記録しておく必要がなく、コンテンツ記録媒体やコンテンツ記録装置の記録領域の増大を抑えることができる。
【００３８】
本発明におけるコンテンツ記録方法は、コンテンツを編集し、着脱可能なコンテンツ記録媒体に記録するためのコンテンツ記録方法であって、外部から入手されるコンテンツの編集行為に必要とされる、前記コンテンツに関する編集情報を利用することについての許諾を表わす許諾情報が、前記コンテンツ記録媒体に記録されている場合には、利用者が前記コンテンツの編集を要求したときに、前記コンテンツに関する編集情報を利用することで、前記利用者の要求に応じて前記コンテンツを編集し、前記コンテンツ記録媒体に記録することを特徴とする。
【００３９】
上記のコンテンツ記録方法では、コンテンツについての編集情報を取得し、その編集情報に基づく利用者からの求めに応じて、そのコンテンツを編集し、記録することができる。
【００４０】
このため、コンテンツが利用者の求めに正確に沿う編集がなされ、その結果、利用者の好みにあったコンテンツの編集が実現されることになる。
【００４１】
さらに、コンテンツについての編集情報の利用許諾を、コンテンツ記録媒体にあらかじめ記録されている許諾情報を用いて行なうことにより、正当な許諾情報が記録されていないコンテンツ記録媒体に対するコンテンツの記録の際における編集情報の利用を不可能にすることができる。
【００４２】
このため、コンテンツ記録媒体に正当な許諾情報が記録されていない場合には、コンテンツが利用者により不正に編集されることがなくなり、その結果、コンテンツの編集後のデータがコンテンツ記録媒体に不正に記録されてしまうことを回避することができる。
【００４３】
なお、前記コンテンツ記録装置は、コンピュータによって実現してもよく、この場合には、コンピュータを前記各手段として動作させることにより前記コンテンツ記録装置をコンピュータにて実現させるコンテンツ記録処理プログラム、及びそれを記録したコンピュータ読み取り可能な記録媒体も、本発明の範疇に入る。
【発明の効果】
【００４４】
本発明のコンテンツ記録装置は、以上のように、外部から入手されるコンテンツの編集行為に必要とされる、前記コンテンツに関する編集情報を利用することについての許諾を表わす許諾情報が、前記コンテンツ記録装置に装着されたコンテンツ記録媒体に記録されている場合には、利用者が前記コンテンツの編集を要求したときに、前記コンテンツに関する編集情報を利用することで、前記利用者の要求に応じて前記コンテンツを編集し、前記コンテンツ記録媒体に記録するものである。
【００４５】
それゆえ、テレビ放送やインターネット等の外部から入手可能なコンテンツを、利用者の求めに応じて正確に編集し、記録することができるという効果を奏する。
【発明を実施するための最良の形態】
【００４６】
以下、本発明の実施の形態について、図面を参照しながら説明する。なお、同一部分には同一符号を付し、図面で同一の符号が付いたものは、説明を省略する場合もある。また、実施の形態１で説明した内容は、実施の形態２での説明を省略する場合もある。
【００４７】
（実施の形態１）
図２は、本発明の実施の形態１におけるコンテンツ記録再生システムの概略構成を示すブロック図である。
【００４８】
本発明の実施の形態１におけるコンテンツ記録再生システム１００は、コンテンツを公衆に送信する放送局サイト１０１と、放送局サイト１０１から送信されるコンテンツを受信する家庭サイト１０２と、放送局サイト１０１と家庭サイト１０２とを接続し、放送局サイト１０１と家庭サイト１０２間における情報の交換を可能にするための通信回線１０３と、から構成されている。
【００４９】
放送局サイト１０１は、コンテンツを生成し、そのコンテンツを公衆に送信するための放送局３１と、放送局３１が公衆に送信するコンテンツについての後述の編集情報をあらかじめ格納する編集情報格納部３２と、を有している。
【００５０】
ここで、放送局３１が行なうコンテンツの送信とは、テレビ放送やラジオ放送等、公衆に同一のコンテンツを同時に受信させる目的で行なう無線による送信、ＣＡＴＶ放送や有線音楽等、公衆に同一のコンテンツを同時に受信させる目的で行なう有線による送信、あるいは、インターネットのホームページ等を用いて、公衆からの求めに応じてコンテンツを自動的に行なう送信のことである。以下、本発明の実施の形態では、放送局３１がテレビ放送を送信するテレビ放送局である場合を例に実施の形態として説明する。
【００５１】
また、放送局３１は、自身が公衆に送信するコンテンツであるテレビ放送の各々についての編集情報を、通信回線１０３を用いて、利用者サイト１０２に送信する。放送局３１は、テレビ放送を公衆に送信するとき、送信するテレビ放送についての編集情報を編集情報格納部３２から取得し、その取得した編集情報を通信回線１０３により公衆に送信する。
【００５２】
放送局３１は、テレビ放送を送信するときには、そのテレビ放送についての編集情報をあらかじめ公衆に送信するのが好ましい。そうすることにより、利用者サイト１０２は、テレビ放送が送信される以前に、そのテレビ放送についての編集情報を受信することが可能となる。
【００５３】
また、放送局３１は、自身が送信するテレビ放送についての編集情報を、不特定多数の公衆に同時に送信してもよいし、個々の利用者からの要求を受けて個別に送信してもよい。すなわち、後者の場合では、利用者からの要求がない限り、放送局３１が放送するテレビ放送についての編集情報が放送局３１から利用者に送信されない。また、利用者からの要求に応じて放送局３１が編集情報を送信する際、その利用者に対して編集情報の利用許諾についての対価の支払いが請求されるようにしてもよい。
【００５４】
もちろん、このような放送局３１による編集情報の送信は、放送局３１が送信するテレビ放送のすべてについて同じやり方で行われてもよいし、放送局３１が送信するテレビ放送ごとに異なるやり方で行なわれてもよい。
【００５５】
編集情報格納部３２は、放送局３１が公衆に送信するコンテンツであるテレビ放送の各々についての編集情報をあらかじめ格納する。編集情報格納部３２は、ハードディスクドライブ（以下、「ＨＤＤ」と記す。）等の磁気ディスク装置や半導体メモリ等の公知の記憶装置から適宜選択して用いることができる。
【００５６】
ここで、この編集情報は、放送局３１が送信するテレビ放送の各々についてあらかじめ放送局３１が作成する情報である。
【００５７】
通常、放送局３１が送信するテレビ放送は、そのテレビ放送の番組の本編と、その番組中に挿入されたコマーシャルやニュース等で構成されている。また、本編は、コマーシャル等の挿入によって複数に分割されており、そのコマーシャル等の挿入箇所の前における本編の一部が重複部としてコマーシャル等の挿入後に配置されている。
【００５８】
編集情報は、例えば、各テレビ放送の番組の開始時刻及び終了時刻、コマーシャルやニュース等の開始時刻及び終了時刻、コマーシャル等の挿入後に配置される本編の重複部の開始時刻及び終了時刻についての情報を含んでいる。なお、他のコンテンツ記録媒体へのダビングに関する情報であっても良いし、その場合編集情報と許諾情報が一体化していても良い。
【００５９】
利用者サイト１０２は、放送局３１が送信するテレビ放送を受信し、そのテレビ放送を視聴する利用者の家庭等である。利用者サイト１０２は、コンテンツ記録装置１０と、編集情報通信部２１と、放送受信部２２と、アンテナ２３と、番組再生部２４と、表示部２５と、を有している。
【００６０】
編集情報通信部２１は、通信回線１０３と接続されており、通信回線１０３を介して放送局３１から送信される編集情報を受信する。そして、編集情報通信部２１は、放送局３１が編集情報を不特定多数の公衆に同時に送信するときには、放送局３１からの送信に合わせて編集情報を受信する。
【００６１】
一方、編集情報通信部２１は、放送局３１が利用者の要求に応じて個別に編集情報を送信するときには、利用者からの編集情報の要求を、通信回線１０３を用いて放送局３１に送信する。そして、編集情報通信部２１は、自身による編集情報の要求に応じて放送局３１が送信する編集情報を、通信回線１０３を用いて受信する。
【００６２】
放送受信部２２は、放送局３１が送信するテレビ放送を、アンテナ２３を用いて受信する。なお、図２では、放送受信部２２にはアンテナ２３が接続されているが、放送局３１から受信する放送の種類に応じて、接続されるものが異なる。例えば、放送が衛星を介して配信される場合には、放送受信部２２にはパラボラアンテナ等が接続され、放送がケーブルテレビ経由で配信される場合には、放送受信部２２には配信ケーブルが接続される。また、インターネット放送の場合には、放送受信部２２にはインターネットが接続される。もちろん、これらの接続形態も様々で、公知のセットトップボックス、モデム、ネットワーク・インタフェース等を経由して接続され得るが、ここでは、説明を省略する。
【００６３】
番組再生部２４は、コンテンツ記録装置１０によって編集、記録された放送データの再生画像を表示部２５に表示する。また、番組再生部２４は、放送局３１から送信されるテレビ放送の画像を表示部２５に表示する。表示部２５は、ＣＲＴディスプレイ、液晶ディスプレイ等のモニターを用いることができる。
【００６４】
コンテンツ記録装置１０は、放送受信部２２がアンテナ２３を用いて受信するテレビ放送を、編集情報通信部２１が通信回線１０３を用いて受信する編集情報に基づく利用者の要求に応じて編集し、その編集後のデータを放送データとしてコンテンツ記録媒体に記録するものである。
【００６５】
図２に戻り、通信回線１０３としては、インターネットが代表的であるが、ＬＡＮ、ＷＡＮ、イントラネット等、あらゆるネットワークを用いることができる。要は、通信回線１０３は、放送局サイト１０１と家庭サイト１０２との間において情報のやり取りが可能となるネットワークであればよい。
【００６６】
以下図１を用いて、コンテンツ記録装置１０の構成について説明する。図１は、本発明の実施の形態１におけるコンテンツ記録装置１０の概略構成を示すブロック図である。
【００６７】
本実施の形態におけるコンテンツ記録装置１０は、図１に示すように、認証部１１と、認証条件格納部１２と、録画プログラム生成部１３と、設定部１４と、録画プログラム格納部１５と、録画用データ生成部１６と、を有している。
【００６８】
認証部１１は、編集情報通信部２１により受信される編集情報の利用許諾を表わす許諾キーが、コンテンツ記録媒体１０４にあらかじめ埋め込まれているときには、編集情報の利用許諾を認証する。
【００６９】
ここで、この許諾キーは、具体的には、例えばテレビ放送の著作権者等である放送局３１が、自身が送信する編集情報を用いてテレビ放送の編集を行なうことを、コンテンツ記録媒体１０４の利用者に対して許諾したことを表わすものである。そして、コンテンツ記録装置１０は、コンテンツ記録媒体１０４の許諾キーに基づく編集情報の利用許諾が認証された場合のみ、編集情報に基づく利用者の要求に応じてテレビ放送を編集し、その編集後のデータを放送データとしてコンテンツ記録媒体１０４に記録することが可能となる。
【００７０】
すなわち、許諾キーがあらかじめ埋め込まれたコンテンツ記録媒体１０４の利用者は、放送局３１から編集情報の利用許諾を受けたことになり、その結果、利用者はその編集情報を用いてテレビ放送の編集内容を決定すると共に、その編集後の放送データをコンテンツ記録媒体１０４に記録することが可能となる。なお、許諾キーを送信することを許可するのは、放送局のみならず、コンテンツ作製者等の著作権有者の合意であることが望ましいが、コンテンツの所有者のみであっても良い。
【００７１】
また、この許諾キーは、テレビ放送を製作し、公衆に送信する放送局３１、つまり、テレビ放送等の著作物に関する著作権者等の管理の下、コンテンツ記録媒体１０４にあらかじめ埋め込まれるものである。したがって、利用者が、この許諾キーが埋め込まれたコンテンツ記録媒体１０４に、放送局３１が送信するテレビ放送を編集し、記録する行為自体は、放送局３１の著作物であるテレビ放送の違法利用には該当しない。
【００７２】
なお、例えば、コンテンツ記録媒体１０４の販売価格に、編集情報の利用許諾の対価として利用者が支払うべき権利使用料を含めることにより、コンテンツ記録媒体１０４の利用者は、このコンテンツ記録媒体１０４の購入の際、編集情報の利用許諾の対価を支払うことができる。また、許諾される編集情報は、他の記録媒体へのダビングに関するものであっても良い。
【００７３】
認証部１１は、このような許諾キーがコンテンツ記録媒体１０４にあらかじめ埋め込まれていると、編集情報の利用許諾を認証し、その認証結果を録画プログラム生成部１３に出力する。
【００７４】
認証条件格納部１２は、認証部１１がコンテンツ記録媒体１０４に対する認証処理を行なうときに利用する認証条件をあらかじめ格納している。そして、認証条件格納部１２は、認証部１１がコンテンツ記録媒体１０４に対する認証処理を行なうときに、自身が格納する認証条件を認証部１１に出力する。
【００７５】
この認証条件は、コンテンツ記録媒体１０４にあらかじめ埋め込まれている許諾キーが正当なものであるか否か判定するための条件である。例えば、正当な許諾キーが英数字等からなる文字列である場合には、コンテンツ記録媒体１０４に埋め込まれている許諾キーがこの文字列と同一であることを判定条件として用いればよい。
【００７６】
また、この認証条件には、コンテンツ記録媒体１０４の記録領域における、許諾キーの格納位置を特定するための条件も含まれる。コンテンツ記録装置１０は、コンテンツ記録媒体１０４が装着されると、そのコンテンツ記録媒体１０４の記録領域のうち、この認証条件により特定された位置に対して、許諾キーの検出を試みることになる。
【００７７】
もちろん、認証部１１は、コンテンツ記録媒体１０４に許諾キー自体が埋め込まれていない場合には、このコンテンツ記録媒体１０４を用いたテレビ放送の記録に対しては、編集情報の利用許諾を認証しない。
【００７８】
また、認証条件格納部１２は、このような認証条件をあらかじめ格納する。認証条件格納部１２は、ハードディスクドライブ（以下、「ＨＤＤ」と呼ぶ。）等の磁気ディスク装置や半導体メモリ等の公知の記憶装置から適宜選択して用いることができる。
【００７９】
録画プログラム生成部１３は、編集情報通信部２１により受信される編集情報と、設定部１４により設定される、利用者がその編集情報を用いて決定したテレビ放送の編集内容を表わす設定条件と、が入力される。そして、録画プログラム生成部１３は、編集情報通信部２１により受信された編集情報と、設定部１４により設定された利用者の求めに従う設定条件とを用いて、放送受信部２２により受信される放送局３１からのテレビ放送を編集し、コンテンツ記録媒体１０４に記録するために利用される録画プログラムを生成する。
【００８０】
設定部１４は、テンキー、キーボード等を持ち、利用者は、それらテンキー、キーボード等を用いて、テレビ放送の編集内容を設定部１４に設定する。このとき、コンテンツ記録装置１０が、編集情報通信部２１により受信される編集情報を番組再生部２４により表示部２５に表示させ、利用者がその編集情報を視認可能となるようにすればよい。そうすることにより、利用者はその編集情報を参照しながらテレビ放送の編集を効率よく行なうことができる。
【００８１】
もちろん、コンテンツ記録装置１０に編集情報を表示させる表示装置を独自に設けてもよく、この場合でも、上記と同様の効果を得ることができる。
【００８２】
ここで、録画プログラムについて説明する。
【００８３】
上述したように、放送局３１が送信するテレビ放送は、そのテレビ放送の番組の本編と、その番組中に挿入されたコマーシャルやニュース等で構成されている。そして、本編は、コマーシャル等の挿入によって複数に分割されており、そのコマーシャル等の挿入箇所の前における本編の一部が重複部としてコマーシャル等の挿入後に配置されている。
【００８４】
利用者は、このようなテレビ放送に対し、例えば、コマーシャルやニュース等、本編の重複部を削除して、本編のみをシームレスに記録することを望む場合がある。このような場合に、利用者は、このテレビ放送についての編集情報から、コマーシャルや、ニュース、本編の重複部の開始時刻、終了時刻を参照する。そして、利用者は、これらコマーシャル、ニュース、本編の重複部について録画処理が実行されないように、このテレビ放送が送信されている期間におけるコンテンツ記録装置１０による録画処理の開始、停止、再開、停止、再開、停止、…を時間の経過に沿って設定する。録画プログラムは、利用者により設定される、コンテンツ記録装置１０の録画処理の開始、停止、再開、停止、再開、停止、…といったコンテンツ記録装置１０の動作を規定するものである。
【００８５】
そして、コンテンツ記録装置１０は、この録画プログラムに沿って、その録画プログラムの対象となるテレビ放送についての録画処理を実行する。そうすることにより、コンテンツ記録装置１０は、テレビ放送のうち、コマーシャル、ニュース、本編の重複部が削除された、本編からなるシームレスなテレビ放送をコンテンツ記録媒体１０４に記録することができる。
【００８６】
録画プログラム生成部１３は、録画プログラムを生成すると、その生成した録画プログラムを録画プログラム格納部１５に出力する。
【００８７】
録画プログラム格納部１５は、録画プログラム生成部１３から出力される録画プログラムを格納する。録画プログラム格納部１５は、録画プログラム生成部１３から出力される録画プログラムに対応するテレビ放送が放送局３１から実際に送信されるまで、その録画プログラムを一時的に格納する。そして、録画プログラム格納部１５は、自身が格納する録画プログラムに対応するテレビ放送が受信されたとき、そのテレビ放送に対応する録画プログラムを録画用データ生成部１６に出力する。
【００８８】
また、録画プログラム格納部１５は、ＨＤＤ等の磁気ディスク装置や半導体メモリ等の公知の記憶装置から適宜選択して用いることができる。なお、認証条件格納部１２と録画プログラム格納部１５は、それぞれ必要なデータが記憶可能であればよく、それぞれを別の記憶装置で実現してもよいし、１つの記憶装置のなかで記憶領域を分割することで実現してもよい。
【００８９】
録画用データ生成部１６は、放送受信部２２がアンテナ２３を用いてテレビ放送を受信すると、そのテレビ放送についての録画プログラムを録画プログラム格納部１５から取得する。そして、録画用データ生成部１６は、録画プログラム格納部１５から取得した録画プログラムに従って、そのテレビ放送の録画処理を実行し、そのテレビ放送の編集後のデータを録画用データとして生成する。
【００９０】
このようにして生成された録画用データはコンテンツ記録媒体１０４に記録される。
【００９１】
次に、コンテンツ記録装置１０のハードウェア構成の一例について説明する。図３は、コンテンツ記録装置１０のハードウェア構成を示すブロック図である。
【００９２】
コンテンツ記録装置１０は、図３に示すように、制御装置４０と、表示装置４１と、入力装置４２と、映像・インタフェース４３と、ドライブ４４と、ネットワーク・インタフェース４５と、バス４６と、ＨＤＤ４７と、を有している。
【００９３】
制御装置４０は、コンテンツ記録装置１０の動作の制御、コンテンツ記録処理をするものであり、所定の制御プログラム、コンテンツ記録処理プログラムの指示に基づき、コンテンツ記録装置１０の動作を制御して、例えば、認証部１１によるコンテンツ記録媒体１０４に対する認証処理、録画プログラム生成部１３による録画プログラム生成処理、録画用データ生成部１６による録画用データ生成処理、及び、録画用データ生成部１６により生成された録画用データを放送データとしてコンテンツ記録媒体１０４に記録する処理等を行なう。
【００９４】
制御装置４０は、各種プログラムの命令を処理するＣＰＵ４０１と、一時記憶のデータを格納するランダムアクセスメモリ４０２（以下、「ＲＡＭ４０２」と呼ぶ）と、所定の制御プログラム、コンテンツ記録処理プログラム等が格納されているリードオンリーメモリ４０３（以下、「ＲＯＭ４０３」と呼ぶ。）と、を有している。
【００９５】
ＣＰＵ４０１は、ＲＯＭ４０３に記憶されているプログラム、又は、図示しないＨＤＤに記憶されているプログラムか、ＲＡＭ４０２に記憶されたプログラムに従って各種の処理を実施する。また、ＣＰＵ４０１は、ＲＡＭ４０２に各部の処理に必要なデータを一時記憶する。
【００９６】
表示装置４１は、公知の液晶ディスプレイやＣＲＴディスプレイ等から適宜用いることができる。表示装置４１に表示された画面を通して、利用者の各種の指示が入力される。
【００９７】
また、表示装置４１の表示画面には、放送受信部２２により受信されるテレビ放送の再生画像、または、編集後の放送データの再生画像、が表示されてもよい。もちろん、図２に示すように、コンテンツ記録装置１０に表示部２５が接続されている場合には、これらの再生画像は、上述したように、その表示部２５に表示することもできる。
【００９８】
入力装置４２は、公知のキーボードやマウス等を用いることができる。利用者は、入力装置４２を利用して表示装置４１に表示されて表示画面等に、必要な指示の入力を行なうことができる。利用者によるこれらの入力によって、例えば、特定のテレビ放送についての編集情報の取得、編集後の放送データの再生、その他の指示が可能となる。
【００９９】
映像・インタフェース４３は、放送受信部２２と番組再生部２４に接続されている。そして、映像・インタフェース４３は、放送受信部２２とコンテンツ記録装置１０間の通信、及び、番組再生部２４とコンテンツ記録装置１０間の通信、を可能とする。
【０１００】
ドライブ４４は、コンテンツ記録媒体１０４にあらかじめ埋め込まれている許諾キーの読み出し、あるいは、編集後の放送データの記録に用いられる。もちろん、受信されたテレビ放送を編集することなくコンテンツ記録媒体１０４に記録する場合にも用いられる。
【０１０１】
ネットワーク・インタフェース４５は、コンテンツ記録装置１０と編集情報通信部２１を接続するためのインタフェースである。
【０１０２】
バス４６は、上記の各構成要素間で送受信される各種データの共通送信路である。
【０１０３】
ここで、コンテンツ記録媒体１０４の具体例について説明する。図４は、コンテンツ記録媒体１０４の概略構成を示す断面図である。
【０１０４】
コンテンツ記録媒体１０４は、図４に示すように、再生光入射面側から順に、透光層５１、第１情報記録層５２、中間層５３、第２情報記録層５４及び基板５５が積層された構造となっている。
【０１０５】
透光層５１は、例えば、厚さ７５μｍの紫外線硬化樹脂からなる。透光層５１の材料は、再生光の波長において透過率が高いものであれば良い。すなわち、透光層５１は、例えばポリカーボネートフィルムと透明粘着剤とで形成されていても良い。また、透光層５１の表面には、表面保護のためのハードコートが設けられていても良い。さらに、透光層５１の厚さは、コンテンツ記録装置１０が有する光学系に応じて変更されても良い。具体的には、透光層５１は、例えば０．６ｍｍのポリカーボネ−ト基板であっても良い。
【０１０６】
第１情報記録層５２は、ＲＯＭ層であり、例えば、成膜時の窒素流量により屈折率調整された厚さ１５ｎｍの窒化アルミからなる。第１情報記録層５２の厚さ及び材料は、これに限られるものではなく、例えば再生光波長における第１情報記録層５２の反射率の値が０．４％より大きく２．２％以下となるものであれば良い。
【０１０７】
すなわち、第１情報記録層５２は、再生光波長において透光性を有しており、上記反射率の値は、第２情報記録層５４を再生するときの第２再生光ではフォーカス引き込みが不可能になる値であり、第１情報記録層５２を再生するときの第１再生光ではフォーカス引き込みが可能になる値であれば良い。
【０１０８】
具体的には、第１情報記録層５２は、上記窒化アルミの他に、例えば窒化シリコン、または、窒化アルミもしくは窒化シリコンを主成分とする誘電体からなっていても良く、多層構造であっても良い。
【０１０９】
ここで、上記第２再生光は、第２情報記録層５４等のＲＥ層を再生するときにコンテンツ記録媒体１０４に照射されるものであり、例えば旧規格の光情報記録媒体に対応した駆動装置でも照射できるものである。また、上記第１再生光は、第２再生光よりも強度が高く、第１情報記録層５２を再生するときにコンテンツ記録媒体１０４に照射されるものである。この第１再生光は、新規格の光情報記録媒体に対応した駆動装置にて照射されるものである。
【０１１０】
中間層５３は、例えば、厚さ２５μｍの透明紫外線硬化樹脂からなる。中間層５３の材料は、これに限られたものではなく、再生光の波長において透過率が高い材料であれば良い。また、中間層５３の厚さも、これに限られたものではなく、第１情報記録層５２及び第２情報記録層５４を分離でき、層間クロストークが問題にならない適度の厚さであれば良い。なお、層間クロストークとは、再生中の情報記録層以外の情報記録層からのノイズを指す。さらに、中間層５３は、多層構造であっても良い。また、中間層５３の、第１情報記録層５２側の面には、第１情報記録層５２に形状として記録される情報に応じた凹凸からなるプリピット（図示しない）が設けられている。
【０１１１】
第２情報記録層５４は、ＲＥ層であり、例えば７層の薄膜からなる。この７層の薄膜は、再生光入射側から、第１保護膜５４１（例えば、厚さ３５ｎｍのＺｎＳ−ＳｉＯ２）、第２保護膜５４２（例えば、厚さ５ｎｍのＺｒＯ）、記録層５４３（例えば、厚さ１０ｎｍのＧｅＴｅ−Ｓｂ２Ｔｅ３）、第３保護膜５４４（例えば、厚さ５ｎｍのＺｒＯ）、第４保護膜５４５（例えば、厚さ３５ｎｍのＺｎＳ−ＳｉＯ２）、第５保護膜５４６（例えば、厚さ５ｎｍのＺｒＯ）、及び反射膜５４７（例えば、厚さ２０ｎｍのＡＰＣ（ＡｇＰｄＣｕ））が順に積層されてなる。なお、第２情報記録層５４の材料、厚さ及び層数は、これに限られるものではなく、ＲＥ層として機能するものであれば良い。
【０１１２】
基板５５は、例えば、厚さ１．１ｍｍのポリカーボネートからなる。基板５５の材料及び厚さは、これに限られるものではなく、表面にグルーブが設けられており、かつ基板として使用できる程度の所定の強度があれば良い。具体的には、基板５５は、例えばポリオレフィン樹脂、金属等からなっていても良い。さらに、基板５５は、多層構造であっても良い。
【０１１３】
なお、基板５５の表面には、グルーブの他に、第２情報記録層５４に形状として記録される情報に応じた凹凸からなるプリピットが設けられていても良い。この場合、第２情報記録層５４のプリピットが設けられた領域は、情報の読み出しのみ可能な領域となる。すなわち、第２情報記録層５４は、ＲＥ領域とＲＯＭ領域とを含む構成であっても良い。
【０１１４】
上述したように、コンテンツ記録媒体１０４には許諾キーがあらかじめ埋め込まれている。そして、この許諾キーは、コンテンツ記録媒体１０４の利用者に対して編集情報の利用を許諾したことを表わすものである。したがって、コンテンツ記録媒体１０４が一旦市場に配布された後に、この許諾キーが不正に使用されることがないようにする必要がある。
【０１１５】
このため、図４に示したコンテンツ記録媒体１０４は、自身が持つ記録領域のうち、ＲＯＭ層である第１情報記録層５２、あるいは、第２情報記録層５４のＲＯＭ領域に許諾キーがあらかじめ記録している。つまり、このコンテンツ記録媒体１０４では、一旦市場に出回った後、第三者が不正にこのコンテンツ記録媒体１０に埋め込まれている許諾キーを不正に使用することが不可能となるように、利用者が再生のみ可能なＲＯＭ層、あるいは、ＲＯＭ領域に許諾キーが記録されている。
【０１１６】
そして、コンテンツ記録装置１０の認証条件格納部１２に格納される認証条件では、許諾キーが埋め込まれているコンテンツ記録媒体１０４の記録領域の位置として、上記のＲＯＭ層、あるいは、ＲＯＭ領域が規定されている。
【０１１７】
そうすることにより、仮に、第三者が不正にこの許諾キーを複製した後、編集情報の利用許諾を受けていないコンテンツ記録媒体に記録し、編集情報を不正に利用しようとしても、利用者が再生のみ可能なＲＯＭ層やＲＯＭ領域にその許諾キーを記録することは当然のことながら不可能である。
【０１１８】
その結果、不正な利用者が許諾キーを複製できたとしても、編集情報を不正に使用し、放送局３１からのテレビ放送を不正に編集することを確実に回避することができる。
【０１１９】
したがって、著作権者等である放送局３１は、安心して、許諾キーが埋め込まれたコンテンツ記録媒体１０４を市場に置くことができる。
【０１２０】
なお、本実施の形態におけるコンテンツ記録媒体１０４の構成は、図４に示した構成に限られるものではない。公知のＤＶＤ−ＲＷ、ＤＶＤ−ＲＡＭ等その他の記録媒体のすべてを含むことを意図しており、これらの記録媒体における利用者が再生のみ可能な記録領域（例えばＢＣＡ領域等）に許諾キーがあらかじめ埋め込まれていればよい。
【０１２１】
次に、編集情報について説明する。図５は、編集情報の内容を説明するための説明図である。
【０１２２】
図５において、この編集情報６０は、番組特定領域６１と、番組素材識別領域６２と、録画プログラム特定領域６３と、番組時間領域６４と、を有している。
【０１２３】
番組特定領域６１には、テレビ放送が放送された放送環境を特定するための番組特定情報が記載されており、例えば、番組名、放送局、放送日時、チャンネル番号及びイベント番号等が記載されている。
【０１２４】
イベント番号は、番組を一意に決定する番号である。番組特定領域６１では、この編集情報６０が扱う番組が特定される。例えば、図１の放送局サイト１０１の編集情報格納部３２では、多数のテレビ放送についての編集情報が格納されているが、この編集情報格納部３２において、各テレビ放送の編集情報を検索するためのキーとなる情報が番組特定領域６１に記載される情報である。
【０１２５】
番組素材識別領域６２には、番組素材を識別するための番組素材識別情報が記載されている。この番組素材識別情報により、番組素材と編集情報６０とが関連付けられる。番組素材識別情報は、番組素材を作成した作成者が発行する情報で、番組素材を一意に識別することを可能とする情報である。
【０１２６】
例えば、番組素材識別情報を発行した発行元、あるいは権利を有する機関等である放送局３１が、編集情報格納部３２上で多数の番組素材識別情報を管理している。例えば、放送局３１が、番組素材を含む番組を放送する場合は、番組を特定する番組特定情報を放送局３１の編集情報格納部３２に登録する。登録された番組の番組特定情報と、番組素材の番組素材識別情報とは、編集情報格納部３２上で関連付けられて管理される。
【０１２７】
このように、番組素材を含む番組が放送される場合には、その番組の番組特定情報が、編集情報格納部３２に登録されて、番組素材と関連付けられて管理される。図５に示す番組素材識別領域６２には、番組素材の識別情報（ＸＸＸＸＸＸＸＸ）が記載されている。
【０１２８】
録画プログラム特定領域６３には、例えば、参照データと参照データ長とが記載されている。参照データは、番組特定領域６１に記載された番組特定情報で特定される番組情報を録画プログラムに関連付ける際に利用する情報名である。参照データ長は、番組情報を参照する録画プログラムが参照するデータのデータ長である。これら参照データ及び参照データ長により、番組情報を参照する録画プログラムと、その番組情報に関する編集情報６０とが関連付けられる。
【０１２９】
また、録画プログラムと編集情報６０との関連付けは、参照データと参照データ長とにより行なわれるので、同じ番組名が複数存在する場合でもそれらを区別することができる。
【０１３０】
番組時間領域６４には、例えば、電子番組ガイドのように番組の放送予定を時間軸上で示したものが記載される。番組時間領域６４に記載された開始点、終了点、間隔を持つ項目をアクションと呼ぶ。
【０１３１】
番組時間領域６４における開始点、終了点、間隔等の時間情報は、ＰＴＳ（Ｐｒｅｓｅｎｔａｔｉｏｎ  Ｔｉｍｅ  Ｓｔａｍｐ）で表される。ＰＴＳとはＭＰＥＧ−２規格で定められた値で、各フレームの表示タイミングを９０ｋＨｚの精度で数値化したものである。
【０１３２】
番組時間領域６４の時間情報は、上述したように、開始点、終了点、間隔の各項目を有している。各行は、番組の本編またはそれ以外のコマーシャルやニュース、本編の重複部等の各放送部分に対応している。
【０１３３】
開始点は、その放送部分が開始される時刻であり、終了点は、その放送部分が終了する時刻である。間隔は、開始点と終了点との間隔である。なお、開始点と終了点は、絶対的な時刻である必要はなく、ある時点、例えば、このテレビ放送の開始時刻を基準とする相対的な時刻であってよい。
【０１３４】
次に、録画プログラムについて説明する。図６は、録画プログラムを説明するための説明図である。ここでは、図５に示した編集情報６０を用いて作成された録画プログラムを例として説明する。
【０１３５】
図６に示すように、この録画プログラム７０は、編集情報特定領域７１と、録画時間特定領域７２と、を有している。
【０１３６】
編集情報特定領域７１には、図５に示した編集情報６０の録画プログラム特定領域６１に記載された参照データ及びその参照データ長が記載されている。上述したように、これら参照データ及びその参照データ長により、番組情報を参照する録画プログラムと、その番組情報に関する編集情報６０とが関連付けられる。
【０１３７】
録画時間特定領域７２には、録画区間、時間情報（開始点、終了点）、間隔の各項目が記載されている。各行は、番組の本編の各放送部分に対応し、時間の経過に従って、上の行から下の行へと進行していく。時間情報の開始点は、その放送部分が開始される時刻であり、時間情報の終了点は、その放送部分が終了する時刻である。間隔は、開始点と終了点との間隔である。なお、開始点と終了点は、絶対的な時刻である必要はなく、ある時点、例えば、このテレビ放送の開始時刻を基準とする相対的な時刻であってよい。
【０１３８】
このように、図６に示した録画プログラム７０は、図５に示した編集情報６０を用いて、対応するテレビ放送から本編を除くコマーシャル、ニュース、本編の重複部のすべてが削除されるべく、生成されている。
【０１３９】
そして、コンテンツ記録装置１０は、この録画プログラム７０に沿って、対応するテレビ放送の録画処理を行なうので、コンテンツ記録媒体１０４に記録される放送データは、対応するテレビ放送から本編を除くコマーシャル、ニュース、本編の重複部のすべてが削除されたシームレスな放送データとなる。
【０１４０】
次に、図６に示した録画プログラム７０が与えられた場合に、テレビ放送がどのように編集されるかについて、図７を用いて説明する。なお、上記のテレビ放送は、１９時０５分００秒から２０時００分００秒までの、編集情報６０に対応するチャンネルの番組についてのテレビ放送であるとする。
【０１４１】
図７の左側には、放送受信部２２によって受信されるテレビ放送のデータをタイムテーブルに表わしたものである。そして、そのタイムテーブルの右横に付された時間は、放送がされた時間を表している。このテレビ放送は、１９時０５分００秒から２０時００分００秒の間の放送に関する放送データであることが分かる。
【０１４２】
図７の右側には、コンテンツ記録装置１０の録画用データ生成部１６によって編集された後の録画用データである。録画用データ生成部１６は、図６の録画プログラムに従って、先ず、図６の録画時間特定領域７２に記載された本編１の録画の開始点である１９時０５分００秒になると、録画用データ生成部１６は、放送受信部２２によって受信されるテレビ放送のデータの録画を開始する。そして、本編１の録画の終了点である１９時１０分１０秒になると、録画用データ生成部１６は、そのテレビ放送のデータの録画を停止する。
【０１４３】
次に、削除対象であるコマーシャル（ＣＭ）１及び本編の重複部１が終了し、本編２の録画の開始点である１９時１３分４０秒になると、録画用データ生成部１６は、再び、そのテレビ放送のデータの録画を再開する。そして、本編２の録画の終了点である１９時２８分２５秒になると、録画用データ生成部１６は、そのテレビ放送のデータの録画を停止する。
【０１４４】
次に、削除対象であるコマーシャル（ＣＭ）２、コマーシャル（ＣＭ）３及び本編の重複部２が終了し、本編３の録画の開始点である１９時３１分５５秒になると、録画用データ生成部１６は、再び、そのテレビ放送のデータの録画を再開する。そして、本編３の録画の終了点である１９時４０分００秒になると、録画用データ生成部１６は、そのテレビ放送のデータの録画を停止する。
【０１４５】
次に、削除対象であるニュース及び本編の重複部３が終了し、本編４の録画の開始点である１９時４３分３０秒になると、録画用データ生成部１６は、再び、そのテレビ放送のデータの録画を再開する。そして、本編４の録画の終了点である２０時００分００秒になると、録画用データ生成部１６は、そのテレビ放送のデータの録画を停止する。
【０１４６】
このようにして、本編以外にコマーシャル、ニュース、本編の重複部を含むテレビ放送のデータからコマーシャル、ニュース、本編の重複部は削除され、本編のみからなるシームレスな録画用データを生成することができる。
【０１４７】
この例では、元のテレビ放送では、５５分ある番組が、コマーシャル、ニュース、本編の重複部が削除されることにより、４４分２０秒に短縮されていることが分かる。
【０１４８】
このようにして生成された録画用データは、後で再生されるために、コンテンツ記録媒体１０４に記録される。
【０１４９】
次に、コンテンツ記録装置１０の録画処理について、図８を用いて説明する。図８は、コンテンツ記録装置１０の録画処理を示すフローチャートである。
【０１５０】
ここでは、テレビ放送は、留守録等によって、当該録画処理により編集されながら、コンテンツ記録媒体１０４に記録される。もちろん、テレビ放送を一旦すべて、コンテンツ記録装置１０に搭載されたＨＤＤに記録し、その後、当該録画処理によって編集されながらコンテンツ記録媒体１０４に記録されることも可能である。
【０１５１】
図８において、先ず、コンテンツ記録装置１０は、コンテンツ記録媒体１０４にあらかじめ埋め込まれている筈の許諾キーの取得を試みる（ステップＳ１０１）。
【０１５２】
本ステップＳ１０１では、具体的には、コンテンツ記録装置１０は、認証条件格納部１２にあらかじめ格納されている認証条件により位置特定されるコンテンツ記録媒体１０４の記録領域から、許諾キーの取得を試みる。
【０１５３】
次に、コンテンツ記録装置１０の認証部１１は、コンテンツ記録媒体１０４から取得した許諾キーを検証し（ステップＳ１０２）、その許諾キーが正当なものであるか否かを判定する（ステップＳ１０３）。そして、その許諾キーが不当なものであれば（ステップＳ１０３ＮＯ）、コンテンツ記録装置１０の録画処理は終了する。
【０１５４】
一方、その許諾キーが正当なものであれば（ステップＳ１０３ＹＥＳ）、コンテンツ記録装置１０は、編集情報通信部２１により受信された編集情報を取得する（ステップＳ１０４）。
【０１５５】
本ステップＳ１０４では、具体的には、コンテンツ記録装置１０は、取得した編集情報を利用者が視認可能となるように、放送局３１から送信されるテレビ放送の画像を表示するための図１の表示部２５、あるいは、利用者の各種の指示が入力可能である図３に示した表示装置４１に、表示させる。そして、利用者は、その表示部２５、あるいは、表示装置４１に表示された編集情報を見ながら、放送局３１から送信されるテレビ放送の編集内容を決定することができる。
【０１５６】
次に、コンテンツ記録装置１０は、利用者が設定部１４により設定したテレビ放送の編集内容を表わす設定条件を取得する（ステップＳ１０５）。
【０１５７】
次に、コンテンツ記録装置１０の録画プログラム生成部１３は、編集情報通信部２１により受信される編集情報と、設定部１４により設定された設定条件と、が入力されると、放送受信部２２により受信される放送局３１からのテレビ放送を編集し、コンテンツ記録媒体１０４に記録する際に利用する録画プログラムを生成する（ステップＳ１０６）。そして、録画プログラム生成部１３は、自身が生成した録画プログラムを録画プログラム格納部１５に出力し、格納させる。
【０１５８】
次に、コンテンツ記録装置１０の録画用データ生成部１６は、放送受信部２２がアンテナ２３を用いてテレビ放送を受信すると、そのテレビ放送についての録画プログラムを録画プログラム格納部１５から取得する。そして、録画用データ生成部１６は、録画プログラム格納部１５から取得した録画プログラムに従って、そのテレビ放送の録画処理を実行し、そのテレビ放送の編集後のデータを録画用データとして生成する（ステップＳ１０８）。
【０１５９】
最後に、コンテンツ記録装置１０は、録画用データ生成部１６により生成された録画用データをコンテンツ記録媒体１０４に記録する（ステップＳ１０９）。
【０１６０】
以上説明したように、本発明の実施の形態１におけるコンテンツ記録装置１０によれば、放送局３１から送信されるテレビ放送についての編集情報を取得し、その編集情報に基づく利用者からの求めに応じて、そのテレビ放送を編集し、記録することができる。
【０１６１】
このため、テレビ放送が利用者の求めに正確に沿う編集がなされ、その結果、利用者の好みにあったテレビ放送の編集が実現されることになる。
【０１６２】
また、本発明の実施の形態１におけるコンテンツ記録装置１０によれば、放送局３１から送信される編集情報の利用許諾を、コンテンツ記録媒体１０４にあらかじめ埋め込まれ、利用者による書き換えが不可能な許諾キーを用いて行なうことにより、正当な許諾キーが埋め込まれていないコンテンツ記録媒体１０４に対するテレビ放送のデータ記録の際における編集情報の利用を不可能にすることができる。
【０１６３】
このため、コンテンツ記録媒体１０４に正当な許諾キーが埋め込まれていない場合には、テレビ放送が利用者により不正に編集されることがなくなり、その結果、テレビ放送の編集後の放送データがコンテンツ記録媒体１０４に不正に記録されてしまうことを回避することができる。
【０１６４】
なお、本実施の形態においては、テレビ放送から編集情報を用いて削除するものとして、コマーシャル、ニュース、本編の重複部を例として説明したが、その他、未成年者に対し教育的な問題から削除が望ましい映像や、利用者の年齢によって視聴を規制すべき映像等の削除を行なうことも、もちろん可能である。
【０１６５】
また、本実施の形態においては、放送局３１が作成する編集情報は、放送局３１が通信回線１０３を介して、コンテンツ記録装置１０に送信しているが、例えば、この編集情報をあらかじめコンテンツ記録媒体１０４に記録しておいてもよいし、コンテンツ記録装置に予め記録されていても良い。この場合、この編集情報は、放送局３１が送信するテレビ放送ごとに決まっていてもよいし、あるいは、複数のパターンを準備しておき、テレビ放送の内容について事前に情報を得ることにより、その複数のパターンのうちから利用すべきパターンを決定するようにしてもよい。
【０１６６】
さらに、放送局３１が作成する編集情報は、放送局３１自身が保有しておく必要はなく、例えば、通信回線１０３に接続された、編集情報の送信専用に設けられたサーバーに格納しておいてもよい。
【０１６７】
（実施の形態２）
次に、本発明の実施の形態２について説明する。上記の実施の形態１では、放送局３１が送信するテレビ放送についての編集情報は、通信回線１０３を介して、コンテンツ記録装置１０に送信されている。このため、通信回線１０３がインターネット等の機密保持性のない通信回線であった場合、編集情報が通信回線１０３上から不正に取得されてしまう恐れがあった。
【０１６８】
そして、編集情報を不正に取得した利用者は、自身のコンテンツ記録装置を用いて放送局３１から送信されるテレビ放送を編集し、記録することが可能となってしまう。
【０１６９】
そこで、本発明の実施の形態２は、放送局３１から送信される編集情報を暗号化し、コンテンツ記録媒体１０４にあらかじめ埋め込まれている許諾キーを、その暗号化された編集情報を復号化するための復号化キーとして用いることにより、通信回線１０３上において編集情報が不正に取得された場合でも、その編集情報の不正利用を回避することができる実施の形態である。本実施の形態によれば、正当なコンテンツ記録媒体１０４を購入した者のみが編集情報を利用可能とするためのセキュリティー対策を、上記の実施の形態１と比較して、より向上させることができるのである。
【０１７０】
図９は、本発明の実施の形態２におけるコンテンツ記録装置の概略構成を示すブロック図である。
【０１７１】
本実施の形態におけるコンテンツ記録装置８０は、図９に示すように、認証部８１と、認証条件格納部８２と、復号化部８３と、録画プログラム生成部８４と、設定部８５と、録画プログラム格納部８６と、録画用データ生成部８７と、を有している。
【０１７２】
認証部８１は、編集情報通信部２１により受信される編集情報の利用許諾を表わす許諾キーが、コンテンツ記録媒体１０４にあらかじめ埋め込まれているときには、編集情報の利用許諾を認証する。
【０１７３】
ここで、本実施の形態における許諾キーは、上記の実施の形態１における許諾キーとは以下の点で異なっている。
【０１７４】
すなわち、本実施の形態における許諾キーは、放送局３１によって暗号化された編集情報を復号化するために利用される復号化キーを兼ねている点である。
【０１７５】
具体的には、放送局３１は、自身が送信するテレビ放送についての編集情報を暗号化した後、通信回線１０３を用いて、その暗号化された編集情報を家庭サイト１０２等の公衆に向けて送信する。
【０１７６】
一方、家庭サイト１０２のコンテンツ記録装置８０では、コンテンツ記録媒体１０４に埋め込まれた許諾キーを取得し、この許諾キーを用いて放送局３１から送信された編集情報を復号化する。
【０１７７】
このため、正当な許諾キーがあらかじめ埋め込まれたコンテンツ記録媒体１０４を持つ利用者のみが編集情報を復号化し、テレビ放送を編集し、コンテンツ記録媒体１０４に記録することが可能となる。
【０１７８】
認証部８１は、このような許諾キーがコンテンツ記録媒体１０４にあらかじめ埋め込まれていると、編集情報の利用許諾を認証し、その認証結果を復号化部８３に出力する。
【０１７９】
認証条件格納部８２は、認証部８１がコンテンツ記録媒体１０４に対する認証処理を行なうときに利用する認証条件をあらかじめ格納している。そして、認証条件格納部８２は、認証部８１がコンテンツ記録媒体１０４に対する認証処理を行なうときに、自身が格納する認証条件を認証部８１に出力する。
【０１８０】
本実施の形態における認証条件は、上記の実施の形態１とは異なり、コンテンツ記録媒体１０４にあらかじめ埋め込まれている許諾キーが正当なものであるか否かの判定は、必ずしも必要ではない。なぜなら、仮に、コンテンツ記録媒体１０４から取得された許諾キーが不当なものであれば、暗号化されて送信されて来る編集情報をその許諾キーを用いて復号化することができないからである。
【０１８１】
このため、本実施の形態における認証条件は、少なくとも、コンテンツ記録媒体１０４の記録領域における、許諾キーの格納位置を特定するための条件が含まれていればよい。
【０１８２】
したがって、認証部８１による認証処理の負荷を低減させると共に、認証条件格納部８２の容量を小さくすることができる。
【０１８３】
コンテンツ記録装置８０は、コンテンツ記録媒体１０４が装着されると、そのコンテンツ記録媒体１０４の記録領域のうち、この認証条件により特定された位置に対して、許諾キーの検出を試みることになる。
【０１８４】
もちろん、認証部８１は、コンテンツ記録媒体１０４に許諾キー自体が埋め込まれていない場合には、このコンテンツ記録媒体１０４を用いたテレビ放送の記録に対しては、編集情報の利用許諾を認証しない。
【０１８５】
また、認証条件格納部８２は、このような認証条件をあらかじめ格納する。認証条件格納部８２は、ハードディスクドライブ（ＨＤＤ）等の磁気ディスク装置や半導体メモリ等の公知の記憶装置から適宜選択して用いることができる。
【０１８６】
復号化部８３は、編集情報通信部２１により受信される、暗号化された編集情報と、コンテンツ記録装置８０により取得された許諾キーと、が入力される。そして、復号化部８３は、その許諾キーを用いて編集情報を復号化し、その復号化結果を録画プログラム生成部８４に出力する。
【０１８７】
ここで、仮に、取得された許諾キーが不当なものであれば、復号化部８３は編集情報を復号化することができない。この場合、コンテンツ記録装置８０は編集情報を利用することはできず、その結果、テレビ放送を編集し、その編集後の放送データをコンテンツ記録媒体１０４に記録することは不可能となる。
【０１８８】
復号化部８３は、編集情報の復号化に成功すると、その復号化された編集情報を録画プログラム生成部８４に出力する。
【０１８９】
録画プログラム生成部８４は、復号化部８３により復号化された編集情報と、設定部８５により設定される、利用者がその編集情報を用いて決定したテレビ放送の編集内容を表わす設定条件と、が入力される。そして、録画プログラム生成部８４は、復号化部８３により復号化された編集情報と、設定部８５により設定された利用者の求めに従う設定条件とを用いて、放送受信部２２により受信される放送局３１からのテレビ放送を編集し、コンテンツ記録媒体１０４に記録するために利用される録画プログラムを生成する。
【０１９０】
設定部８５は、テンキー、キーボード等を持ち、利用者は、それらテンキー、キーボード等を用いて、テレビ放送の編集内容を設定部８５に設定する。このとき、コンテンツ記録装置８０が、復号化部８３により復号化された編集情報を番組再生部２４により表示部２５に表示させ、利用者がその編集情報を視認可能となるようにすればよい。そうすることにより、利用者はその編集情報を参照しながらテレビ放送の編集を効率よく行なうことができる。
【０１９１】
もちろん、コンテンツ記録装置８０に編集情報を表示させる表示装置を独自に設けてもよく、この場合でも、上記と同様の効果を得ることができる。
【０１９２】
録画プログラム生成部８４により生成される録画プログラムについては、上記の実施の形態１と同様であるので、説明を省略する。
【０１９３】
録画プログラム生成部８４は、録画プログラムを生成すると、その生成した録画プログラムを録画プログラム格納部８６に出力する。
【０１９４】
録画プログラム格納部８６は、録画プログラム生成部８４から出力される録画プログラムを格納する。録画プログラム格納部８６は、録画プログラム生成部８４から出力される録画プログラムに対応するテレビ放送が放送局３１から実際に送信されるまで、その録画プログラムを一時的に格納する。そして、録画プログラム格納部８６は、自身が格納する録画プログラムに対応するテレビ放送が受信されたとき、そのテレビ放送に対応する録画プログラムを録画用データ生成部８７に出力する。
【０１９５】
また、録画プログラム格納部８６は、ＨＤＤ等の磁気ディスク装置や半導体メモリ等の公知の記憶装置から適宜選択して用いることができる。なお、認証条件格納部８２と録画プログラム格納部８６は、それぞれ必要なデータが記憶可能であればよく、それぞれを別の記憶装置で実現してもよいし、１つの記憶装置のなかで記憶領域を分割することで実現してもよい。
【０１９６】
録画用データ生成部８７は、放送受信部２２がアンテナ２３を用いてテレビ放送を受信すると、そのテレビ放送についての録画プログラムを録画プログラム格納部８６から取得する。そして、録画用データ生成部８７は、録画プログラム格納部８６から取得した録画プログラムに従って、そのテレビ放送の録画処理を実行し、そのテレビ放送の編集後のデータを録画用データとして生成する。
【０１９７】
このようにして生成された録画用データはコンテンツ記録媒体１０４に記録される。
【０１９８】
次に、コンテンツ記録装置８０の録画処理について、図１０を用いて説明する。図１０は、コンテンツ記録装置８０の録画処理を示すフローチャートである。
【０１９９】
ここでは、テレビ放送は、留守録等によって、当該録画処理により編集されながら、コンテンツ記録媒体１０４に記録される。もちろん、テレビ放送を一旦すべて、コンテンツ記録装置８０に搭載されたＨＤＤに記録し、その後、当該録画処理によって編集されながらコンテンツ記録媒体１０４に記録されることも可能である。
【０２００】
図１０において、先ず、コンテンツ記録装置８０は、コンテンツ記録媒体１０４にあらかじめ埋め込まれている筈の許諾キーの取得を試みる（ステップＳ２０１）。
【０２０１】
本ステップＳ２０１では、具体的には、コンテンツ記録装置８０は、認証条件格納部８２にあらかじめ格納されている認証条件により位置特定されるコンテンツ記録媒体１０４の記録領域から、許諾キーの取得を試みる。
【０２０２】
次に、コンテンツ記録装置８０の認証部８１は、コンテンツ記録媒体１０４から許諾キーを取得できなければ（ステップＳ２０２ＮＯ）、コンテンツ記録装置８０の録画処理は終了する。
【０２０３】
一方、コンテンツ記録媒体１０４から許諾キーを取得できれば（ステップＳ２０２ＹＥＳ）、コンテンツ記録装置８０は、編集情報通信部２１により受信された編集情報を取得する（ステップＳ２０３）。なお、この編集情報は、放送局３１により暗号化された後、送信されたものである。
【０２０４】
次に、コンテンツ記録装置８０の復号化部８３は、コンテンツ記録媒体１０４から取得された許諾キーが入力されると、編集情報通信部２１により受信された編集情報の復号化を試みる（ステップＳ２０４）。
【０２０５】
次に、コンテンツ記録装置８０の復号化部８３は、編集情報通信部２１により受信された編集情報を復号化できなければ（ステップＳ２０５ＮＯ）、コンテンツ記録装置８０の録画処理は終了する。
【０２０６】
一方、コンテンツ記録装置８０の復号化部８３は、編集情報通信部２１により受信された編集情報を復号化できれば（ステップＳ２０５ＹＥＳ）、その復号化した編集情報を録画プログラム生成部８４に出力する。
【０２０７】
そして、コンテンツ記録装置８０は、取得した編集情報を利用者が視認可能となるように、放送局３１から送信されるテレビ放送の画像を表示するための図１の表示部２５、あるいは、利用者の各種の指示が入力可能である図３に示した表示装置４１に、表示させる。そして、利用者は、その表示部２５、あるいは、表示装置４１に表示された編集情報を見ながら、放送局３１から送信されるテレビ放送の編集内容を決定する。
【０２０８】
次に、コンテンツ記録装置８０は、利用者が設定部８５により設定したテレビ放送の編集内容を表わす設定条件を取得する（ステップＳ２０６）。
【０２０９】
次に、コンテンツ記録装置８０の録画プログラム生成部８４は、編集情報通信部２１により受信される編集情報と、設定部８５により設定された設定条件と、が入力されると、放送受信部２２により受信される放送局３１からのテレビ放送を編集し、コンテンツ記録媒体１０４に記録する際に利用する録画プログラムを生成する（ステップＳ２０７）。そして、録画プログラム生成部８４は、自身が生成した録画プログラムを録画プログラム格納部８６に出力し、格納させる。
【０２１０】
次に、コンテンツ記録装置８０の録画用データ生成部８７は、放送受信部２２がアンテナ２３を用いてテレビ放送を受信すると、そのテレビ放送についての録画プログラムを録画プログラム格納部８６から取得する。そして、録画用データ生成部８７は、録画プログラム格納部８６から取得した録画プログラムに従って、そのテレビ放送の録画処理を実行し、そのテレビ放送の編集後のデータを録画用データとして生成する（ステップＳ２０９）。
【０２１１】
最後に、コンテンツ記録装置８０は、録画用データ生成部８７により生成された録画用データをコンテンツ記録媒体１０４に記録する（ステップＳ２１０）。
【０２１２】
以上説明したように、本発明の実施の形態２におけるコンテンツ記録装置８０によれば、放送局３１から送信されるテレビ放送についての編集情報を取得し、その編集情報に基づく利用者からの求めに応じて、そのテレビ放送を編集し、記録することができる。
【０２１３】
このため、テレビ放送が利用者の求めに正確に沿う編集がなされ、その結果、利用者の好みにあったテレビ放送の編集が実現されることになる。
【０２１４】
また、本発明の実施の形態２におけるコンテンツ記録装置８０によれば、放送局３１から送信される編集情報の利用許諾を、コンテンツ記録媒体１０４にあらかじめ埋め込まれている許諾キーを用いて行なうことにより、正当な許諾キーが埋め込まれていないコンテンツ記録媒体１０４に対するテレビ放送のデータ記録の際における編集情報の利用を不可能にすることができる。
【０２１５】
このため、コンテンツ記録媒体１０４に正当な許諾キーが埋め込まれていない場合には、テレビ放送が利用者により不正に編集されることがなくなり、その結果、テレビ放送の編集後の放送データがコンテンツ記録媒体１０４に不正に記録されてしまうことを回避することができる。
【０２１６】
さらに、本発明の実施の形態２におけるコンテンツ記録装置８０によれば、コンテンツ記録媒体１０４に埋め込まれる許諾キーを、暗号化されて送信される編集情報を復号化するための復号化キーとして用いることにより、通信回線１０３がインターネット等の機密保持性のない通信回線であった場合でも、編集情報が通信回線１０３上から不正に取得されてしまうことを回避することができる。
【０２１７】
このため、正当なコンテンツ記録媒体１０４を購入した者のみが編集情報を利用可能とするためのセキュリティー対策をより向上させることができる。
【０２１８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２１９】
最後に、コンテンツ記録装置１０、８０の各ブロックは、ハードウェアロジックによって構成してもよいし、次のようにＣＰＵを用いてソフトウェアによって実現してもよい。
【０２２０】
すなわち、コンテンツ記録装置１０、８０は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラム及び各種データを格納するメモリ等の記憶装置（記録媒体）などを備えている。そして、本発明の目的は、上述した機能を実現するソフトウェアであるコンテンツ記録装置１０、８０の制御プログラムのプログラムコード（実行形式プログラム、中間コードプログラム、ソースプログラム）をコンピュータで読み取り可能に記録した記録媒体を、前記コンテンツ記録装置１０、８０に供給し、そのコンピュータ（又はＣＰＵやＭＰＵ）が記録媒体に記録されているプログラムコードを読み出し実行することによっても、達成可能である。
【０２２１】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２２２】
また、コンテンツ記録装置１０、８０を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０２２３】
なお、本発明は、以下のようにも表現することができる。すなわち、本発明におけるコンテンツ記録媒体は、コンテンツの記録及び再生が可能な情報記録媒体であって、コンテンツを任意に編集するための編集情報を利用可能とする認証鍵が記録されている。
【０２２４】
上記認証鍵は、情報記録媒体記録再生装置が上記編集情報の利用認証を行なう場合にのみ利用可能な位置に記録されていることが好ましい。
【０２２５】
本発明におけるコンテンツ記録媒体は、上記編集情報が記録されている。
【０２２６】
本発明におけるコンテンツ記録装置は、上記のコンテンツ記録媒体に外部より入力されたコンテンツを記録するコンテンツ記録装置であって、上記コンテンツ記録装置に内蔵されている情報記録媒体に上記編集情報が記録されており、上記コンテンツ記録媒体に記録されている認証鍵により上記編集情報が利用可能となる認証手段と、上記認証された編集情報に基いて録画プログラムが生成される録画プログラム生成手段を有する。
【０２２７】
本発明におけるコンテンツ記録装置は、上記のコンテンツ記録媒体に外部より入力されたコンテンツを記録するコンテンツ記録装置であって、外部より上記編集情報を取得する編集情報取得手段と、上記コンテンツ記録媒体に記録されている認証鍵により上記編集情報が利用可能となる認証手段と、上記認証された編集情報に基づいて録画プログラムが生成される録画プログラム生成手段を有する。
【０２２８】
本発明におけるコンテンツ記録装置は、上記のコンテンツ記録媒体に外部より入力されたコンテンツを記録するコンテンツ記録装置であって、上記コンテンツ記録媒体に記録された上記編集情報を再生する再生手段と、上記コンテンツ記録媒体に記録されている認証鍵により上記編集情報が利用可能となる認証手段と、上記認証された編集情報に基づいて録画プログラムが生成される録画プログラム生成手段を有する。
【産業上の利用可能性】
【０２２９】
本発明は、テレビ放送やインターネット等の外部から入手可能なコンテンツを利用者の求めに応じて編集し、記録するコンテンツ記録媒体及びこれを用いたコンテンツ記録装置、並びに、コンテンツ記録方法、コンテンツ記録処理プログラム及びこのコンテンツ記録処理プログラムを記録したコンピュータ読み取り可能な記録媒体に適用できる。
【図面の簡単な説明】
【０２３０】
【図１】本発明の実施の形態１におけるコンテンツ記録装置の概略構成を示すブロック図である。
【図２】本発明の実施の形態１におけるコンテンツ記録再生システムの概略構成を示すブロック図である。
【図３】図１のコンテンツ記録装置のハードウェア構成を示すブロック図である。
【図４】コンテンツ記録媒体の概略構成を示す断面図である。
【図５】編集情報の内容を説明するための説明図である。
【図６】録画プログラムの内容を説明するための説明図である。
【図７】本発明の実施の形態１におけるコンテンツ記録装置の編集処理を説明するための説明図である。
【図８】本発明の実施の形態１におけるコンテンツ記録装置の動作を説明するためのフローチャートである。
【図９】本発明の実施の形態２におけるコンテンツ記録装置の概略構成を示すブロック図である。
【図１０】本発明の実施の形態２におけるコンテンツ記録装置の動作を説明するためのフローチャートである。
【符号の説明】
【０２３１】
１０、８０    コンテンツ記録装置
１１、８１    認証部
１２、８２    認証条件格納部
１３、８４    録画プログラム生成部
１４、８５    設定部
１５、８６    録画プログラム格納部
１６、８７    録画用データ生成部
２１    編集情報通信部
２２    放送受信部
２３    アンテナ
２４    番組再生部
２５    表示部
３１    放送局
３２    編集情報格納部
４０    制御装置
４１    表示装置
４２    入力装置
４３    映像・インタフェース
４４    ドライブ
４５    ネットワーク・インタフェース
４６    バス
５１    透光層
５２    第１情報記録層
５３    中間層
５４    第２情報記録層
５５    基板
６０    編集情報
６１    番組特定領域
６２    番組素材識別領域
６３    録画プログラム特定領域
６４    番組時間領域
７０    録画プログラム
７１    編集情報特定領域
７２    録画時間特定領域
８３    復号化部
１００    コンテンツ記録再生システム
１０１    放送局サイト
１０２    利用者サイト
１０３    通信回線
１０４    コンテンツ記録媒体
４０１    ＣＰＵ
４０２    ＲＡＭ
４０３    ＲＯＭ
５４１    第１保護層
５４２    第２保護層
５４３    記録層
５４４    第３保護層
５４５    第４保護層
５４６    第５保護層
５４７    反射層
【図１】
2010157285.tif 000003
【図２】
2010157285.tif 000004
【図３】
2010157285.tif 000005
【図４】
2010157285.tif 000006
【図５】
2010157285.tif 000007
【図６】
2010157285.tif 000008
【図７】
2010157285.tif 000009
【図８】
2010157285.tif 000010
【図９】
2010157285.tif 000011
【図１０】
2010157285.tif 000012